(57)【要約】【課題】  掘削土量を少なくでき、基礎の浮き上がりに対する抵抗力を高めると共に、安定した支持力を得ることのできる住宅の基礎構造及びその構築方法を提供する。【解決手段】  底部に開口１１を有し、上端部に円形の天井部１２を有する円筒形フーチング１３、１３ａが、地中１４に水平間隔をあけて所定の高さレベルで複数個埋設されて構成されたフーチング群基礎１５と、フーチング群基礎１５に連結して設けられ、上部に住宅１６を取付け可能な布基礎及びべた基礎１７のいずれか１つとを備えている。【選択図】        図１
2005133338.tif 000002
【特許請求の範囲】
【請求項１】
底部に開口を有し、上端部に円形の天井部を有する円筒形フーチングが、地中に水平間隔をあけて所定の高さレベルで複数個埋設されて構成されたフーチング群基礎と、
前記フーチング群基礎に連結して設けられ、上部に住宅を取付け可能な布基礎及びべた基礎のいずれか１つとを備えたことを特徴とする住宅の基礎構造。
【請求項２】
請求項１記載の住宅の基礎構造において、前記円筒形フーチングの天井部直下には砂利地業が施工されていることを特徴とする住宅の基礎構造。
【請求項３】
請求項１及び２のいずれか１項に記載の住宅の基礎構造において、前記円筒形フーチングは鉄筋コンクリート製であることを特徴とする住宅の基礎構造。
【請求項４】
地盤の所定の位置に水平間隔をあけて円筒状の溝を複数個掘削し、
前記各溝の上端部を除いて該溝に第１のコンクリートを打設し、
打設された前記各第１のコンクリートの筒内上部に砂利を敷き詰め、
敷き詰められた前記各砂利上及び前記各第１のコンクリート上に第２のコンクリートを打設してフーチング群基礎を形成し、
さらに、該フーチング群基礎に連結され、上部に住宅を取付ける布基礎及びべた基礎のいずれか１つを設けることを特徴とする住宅の基礎構造の構築方法。
【請求項５】
請求項４記載の住宅の基礎構造の構築方法において、前記円筒状の溝の形成は、大径パイプの外周面に細い幅の板が螺旋状に立設されたスクリューを備え、かつ前記大径パイプの下端円周部に複数の掘削刃が設けられた掘削治具を掘削機に取付けて行なうことを特徴とする住宅の基礎構造の構築方法。
【請求項６】
請求項４及び５のいずれか１項に記載の住宅の基礎構造の構築方法において、前記各第１のコンクリート及び前記各第２のコンクリートを打設する前に、各打設部に補強材を入れることを特徴とする住宅の基礎構造の構築方法。
【発明の詳細な説明】
【技術分野】
【０００１】
本発明は、住宅の基礎構造及びその構築方法に係り、更に詳細には、台風や地震等による揺れや衝撃に対しても安定した支持力を保持できる住宅の基礎構造及びその構築方法に関する。
【背景技術】
【０００２】
住宅の基礎は縁の下の力持ちと言われるように、住宅（家）を支え、大地に固定する重要な役割を持っている。基礎は住宅の構造や重量、更には地盤の状態を考えて、その構造や寸法が決められている。住宅の基礎構造として、一般的に、堅くてしっかりした地盤には連続布基礎構造が採用され、一方、軟らかくて弱い地盤には連続布基礎構造の底面を逆Ｔ字型に広げた強化型連続布基礎構造が採用されたり、杭基礎構造やべた基礎構造が用いられている場合もある。
杭基礎構造は、地下の堅い層まで杭を打って、杭頭と杭頭とを鉄筋コンクリート梁で結び、その上に連続布コンクリートを築く構造であり、杭として鉄筋コンクリート杭以外にも、鋼管製の杭本体の下端に底板を設け、この底板に掘削刃を取付けると共に、杭本体の下端部外周面に螺旋翼を突設した鋼管杭が使用されることもある（例えば、特許文献１参照）。
【０００３】
近年の社会情勢の変化により、経済性が最優先される風潮となって、もともと作業性が悪かった連続布基礎構造に代わって、べた基礎構造の採用が多くなった。即ち、連続布基礎構造においては、根入れ部分の掘削土量が多く、掘削した溝の周辺に掘削土を蓄積し、コンクリート壁構築後、埋め戻しに使用するが、蓄積された土が障害となって、割栗地業( 割栗石と称する砕石を小端立てに敷きつめ、突き固めて地盤を密実にすること) や鉄筋組立コンクリート打設等の一連の作業効率を悪くしたり、建設機械等の使用に制約となっていた。様々な経緯を経て、住宅に対する瑕疵担保期間が長くなり、べた基礎構造が最近の主流となってきた。
【０００４】
図１１に示すように、べた基礎構造７０においては、整地された地面７１に割栗地業７２を施し、その上方に格子状に組み立てられた鉄筋７３を配置して、生コンクリート７４を流し込み、鉄筋コンクリート盤７５をつくる。鉄筋コンクリート盤７５の周囲部分のコンクリートの厚さＴ1 を中央部分の厚さｔ1 の２倍程度にするが、その厚さＴ1 は大体３０ｃｍである。ここで、鉄筋コンクリート盤７５の上面７６を地盤７７の表面７８より、例えば、ｈ＝５ｃｍ高くすると、鉄筋コンクリート盤７５の地中部分の深さ（根入れ）Ｋは２５ｃｍであり、基礎の根入れ深さとしては極めて浅い。
【０００５】
【特許文献１】特開昭５９−８５０２８号公報（第１図、第２図）
【発明の開示】
【発明が解決しようとする課題】
【０００６】
しかしながら、前記従来のべた基礎構造７０においては、未だ解決すべき以下のような問題があった。
べた基礎構造７０は基礎自体が相当重たくなり、この特徴が有利に働くか又は不利に働くかは、地盤７７の強度や住宅自体の構造等で変わってくる。
図１２（Ａ）に示すように、根入れの浅いべた基礎構造７０は１枚板のような基礎であり、その上に建築される住宅７９の重心Ｇが基礎の中心Ｏから外れる（図１２（Ａ）では左側に外れる）と、図１２（Ｂ）に示すように、べた基礎構造７０の両端で地盤７７に作用する荷重は異なり、通常、荷重の分布状態は台形状になる。このようなべた基礎構造７０に設けた住宅７９にさまざまな外力（台風、地震、交通機関等による揺れや衝撃）が働いた場合には、図１２（Ｃ）に示すように、図１２（Ｂ）で述べたべた基礎構造７０の両端での荷重のアンバランスは更に大きくなり、この結果、べた基礎構造７０と共に住宅７９が傾くことになる。
更に、宅地は周囲の一部に擁壁が築かれ盛土地盤を保護しているが、擁壁の裏込め土の突き固めが不十分で軟弱である場合、宅地の隅に建設される住宅では、基礎の下の土に対する拘束が弱く、基礎を含めた住宅の荷重により土が擁壁側へ押し出されて基礎が沈下して住宅が傾くという問題もあった。
【０００７】
本発明はかかる事情に鑑みてなされたもので、掘削土量を少なくでき、基礎の浮き上がりに対する抵抗力を高めると共に、安定した支持力を得ることのできる住宅の基礎構造及びその構築方法を提供することを目的とする。
【課題を解決するための手段】
【０００８】
前記目的に沿う請求項１記載の住宅の基礎構造は、底部に開口を有し、上端部に円形の天井部を有する円筒形フーチングが、地中に水平間隔をあけて所定の高さレベルで複数個埋設されて構成されたフーチング群基礎と、前記フーチング群基礎に連結して設けられ、上部に住宅を取付け可能な布基礎及びべた基礎のいずれか１つとを備えている。
請求項２記載の住宅の基礎構造は、請求項１記載の住宅の基礎構造において、前記円筒形フーチングの天井部直下には砂利地業が施工されている。
請求項３記載の住宅の基礎構造は、請求項１及び２記載の住宅の基礎構造において、前記円筒形フーチングは鉄筋コンクリート製である。
【０００９】
前記目的に沿う請求項４記載の住宅の基礎構造の構築方法は、地盤の所定の位置に水平間隔をあけて円筒状の溝を複数個掘削し、前記各溝の上端部を除いて該溝に第１のコンクリートを打設し、打設された前記各第１のコンクリートの筒内上部に砂利を敷き詰め、敷き詰められた前記各砂利上及び前記各第１のコンクリート上に第２のコンクリートを打設してフーチング群基礎を形成し、さらに、該フーチング群基礎に連結され、上部に住宅を取付ける布基礎及びべた基礎のいずれか１つを設ける。
【００１０】
請求項５記載の住宅の基礎構造の構築方法は、請求項４記載の住宅の基礎構造の構築方法において、前記円筒状の溝の形成は、大径パイプの外周面に細い幅の板が螺旋状に立設されたスクリューを備え、かつ前記大径パイプの下端円周部に複数の掘削刃が設けられた掘削治具を掘削機に取付けて行なう。
請求項６記載の住宅の基礎構造の構築方法は、請求項４及び５記載の住宅の基礎構造の構築方法において、前記各第１のコンクリート及び前記各第２のコンクリートを打設する前に、各打設部に補強材を入れる。
【発明の効果】
【００１１】
請求項１〜３記載の住宅の基礎構造においては、上端部に円形の天井部を有する円筒形フーチングが複数個埋設されて構成されたフーチング群基礎に連結して、上部に住宅を取付け可能な布基礎及びべた基礎のいずれか１つが設けられているので、円筒形フーチングの外周面と接する地盤との間に大きな摩擦力を得ることができ、かつ、円筒形フーチングの内部の地盤を拘束できるため、大きな支持力を得ることができる。従って、複数個の円筒形フーチングからなるフーチング群基礎に布基礎及びべた基礎のいずれか１つを介して取付けられた住宅は、揺れや衝撃によっても、不等沈下して傾くことを防止することができる。
しかも、複数個の円筒形フーチングからなるフーチング群基礎を設けないで布基礎又はべた基礎のみを形成する場合と比較して、割栗地業を砂利地業に簡略化することができる。また、複数個の円筒形フーチングからなるフーチング群基礎では、従来のフーチング基礎と比べて、土の掘削、地業、型枠組立、鉄筋組立、土の埋め戻し、残土処分等一連の工事すべてにおいて簡略化することができる。特に、掘削する土量が少なくて済むので、掘削作業が簡略化されると共に、埋め戻し作業が簡単になり、さらに、掘削した土を一時的に保管する場所が少なくて済む。
【００１２】
特に、請求項２記載の住宅の基礎構造においては、円筒形フーチングの天井部直下には砂利地業が施工されているので、円筒形フーチングの沈下がさらに抑制される。
請求項３記載の住宅の基礎構造においては、円筒形フーチングは鉄筋コンクリート製であるので、円筒形フーチング自体の強度が向上し、これにより、揺れや衝撃によっても住宅の不等沈下をさらに防止できる。
【００１３】
請求項４〜６記載の住宅の基礎構造の構築方法は、円筒状の溝に第１のコンクリートを打設した後、第１のコンクリートの筒内上部に砂利を敷き詰め、敷き詰められた各砂利上及び各第１のコンクリート上に第２のコンクリートを打設してフーチング群基礎を形成し、さらに、フーチング群基礎に布基礎又はべた基礎を設ける。
従って、施工する布基礎又はべた基礎は、従来の場合と比較して根入れを浅くでき、円筒状の溝も含めて掘削する土量が少なくて済むので、掘削作業が簡略化されると共に、埋め戻し作業が簡単になり、さらに、掘削した土を一時的に保管する場所が狭くてよく、残土処分（産廃）が少なくて済む。
また、最終配置される位置に円筒状の溝を形成し、この溝に第１のコンクリートを打設し、さらに、第１のコンクリートの上に第２のコンクリートを打設することによりフーチング群基礎を形成できるので、作業が簡略化され、この結果、工程が短縮されると共に、工事費用が安くできる。
【００１４】
請求項５記載の住宅の基礎構造の構築方法においては、大径パイプの外周面に細い幅の板が螺旋状に巻かれたスクリューを備え、かつ大径パイプの先端円周部に複数の掘削刃が取付けられた掘削治具を掘削機に取付けて、掘削治具の押し付け及び回転により溝を形成するので、掘削作業が簡略化される。
請求項６記載の住宅の基礎構造の構築方法においては、各第１のコンクリート及び各第２のコンクリートを打設する前に、各打設部に補強材を入れるので、フーチング群基礎の強度がアップし、これにより、揺れや衝撃によっても不等沈下をさらに防止できる。
【発明を実施するための最良の形態】
【００１５】
続いて、添付した図面を参照しつつ、本発明を具体化した実施の形態につき説明し、本発明の理解に供する。
ここで、図１は本発明の一実施の形態に係る住宅の基礎構造を適用した住宅を含む全体構成図、図２は同住宅の基礎構造の平面図、図３（Ａ）、（Ｂ）はそれぞれ、同住宅の基礎構造の円筒形フーチングを含む周囲部分、中央部分の断面構成を示す説明図、図４（Ａ）、（Ｂ）はそれぞれ、同住宅の基礎構造の円筒形フーチングを含まない周囲部分、中央部分の断面構成を示す説明図、図５（Ａ）、（Ｂ）はそれぞれ、同住宅の基礎構造の構築方法に使用する鉄筋の正面図、平面図、図６は同住宅の基礎構造の構築方法に用いる掘削治具を設けた掘削機の構成図、図７は同住宅の基礎構造の構築方法に用いる掘削治具の正面図、図８及び図９は同住宅の基礎構造の構築方法の工程図、図１０は本発明の他の実施の形態に係る住宅の基礎構造を適用した住宅を含む全体構成図である。
【００１６】
図１及び図２に示すように、本発明の一実施の形態に係る住宅の基礎構造１０は、底部に開口１１を有し、上端部に円形の天井部１２を有する円筒形フーチング１３、１３ａが、地中１４に水平間隔をあけて所定の高さレベルで複数個（本実施の形態では、円筒形フーチング１３が１５個、円筒形フーチング１３ａが６個、合計２１個）埋設されて構成されたフーチング群基礎１５と、フーチング群基礎１５に連結して設けられ、上部に住宅１６を取付け可能なべた基礎１７とを備えており、平面視して矩形状に形成されている。以下、これらについて詳しく説明する。なお、円筒形フーチング１３、１３ａは、従来の台形型フーチング基礎とは、形状等を含めいろいろの面で異なるものである。また、図１に示す住宅１６は宅地の隅に建設されており、宅地は周囲の一部に間知ブロック積擁壁１８が築かれ、盛土地盤１９を保護している。
【００１７】
図３（Ａ）及び図４（Ａ）と、図３（Ｂ）及び図４（Ｂ）とを比較すると明らかなように、住宅の基礎構造１０の周囲部分（円筒形フーチング１３を含む、矩形状の４辺部分）、中央部分（円筒形フーチング１３ａを含む、周囲部分の内側部分）では若干構造が異なっている。なお、図３（Ａ）、（Ｂ）はそれぞれ、図２の矢視Ａ−Ａ断面、矢視Ｂ−Ｂ断面を、図４（Ａ）、（Ｂ）はそれぞれ、図２の矢視Ｃ−Ｃ断面、矢視Ｄ−Ｄ断面を表している。
図３（Ａ）に示すように、住宅の基礎構造１０の周囲部分においては、円筒形フーチング１３の天井部１２の上面２０は、ＧＬ（グランドレベル）から深さＦ（例えば、１５０ｍｍ）の高さレベルに位置している。円筒形フーチング１３は、円周下部に段差２１を有する円板状の天井部１２と、天井部１２の段差２１に上端部が嵌入して一体的に設けられた円筒状の側板部２２とを備えている。
【００１８】
円筒形フーチング１３は、鉄筋コンクリート製であり、側板部２２には補強材の一例である筒状の鉄筋２３が設けられており、天井部１２には鉄筋２３の上端に接続された、補強材の一例である外形形状が円形で格子状の鉄筋２４が設けられている（図５（Ａ）、（Ｂ）参照）。ただし、コンクリートは、側板部２２を形成する第１のコンクリート２４ａと、天井部１２を形成する第２のコンクリート２４ｂからなっている。円筒形フーチング１３の天井部１２の直下には、厚さＴ（例えば、１００ｍｍ）の砂利地業２５が施工されている。円筒形フーチング１３の寸法は、高さＨ、外径Ｄ、内径ｄであり、一例として、Ｈ＝１５００ｍｍ、Ｄ＝９００ｍｍ、ｄ＝６４０ｍｍとしている。
【００１９】
図３（Ｂ）に示すように、住宅の基礎構造１０の中央部分においては、円筒形フーチング１３ａの天井部１２の上面２０は、ＧＬ（グランドレベル）から深さｆ（例えば、５０ｍｍ）の高さレベルに位置している点が異なるのみで、その他は周囲部分と同じである。図２に示す周囲部分に矩形状に配置された１５個の円筒形フーチング１３と、円筒形フーチング１３の内側に矩形状に配置された６個の円筒形フーチング１３ａとによりフーチング群基礎１５が構成されている。フーチング群基礎１５においては、円筒形フーチング１３、１３ａの外周面と接する地盤との間に大きな摩擦力を得ることができ、かつ、円筒形フーチング１３、１３ａの内部の地盤を拘束できるため、大きな支持力を得ることができる。
【００２０】
図２、図３（Ａ）、（Ｂ）及び図４（Ａ）、（Ｂ）に示すように、フーチング群基礎１５上には、べた基礎１７が一体的に形成されている。図３（Ａ）、（Ｂ）及び図４（Ａ）、（Ｂ）に示すように、べた基礎１７は、円筒形フーチング１３の天井部１２を除く周囲部分の整地された整地面２７に幅Ｗ（例えば、４００ｍｍ）、厚さｍ（例えば、１００ｍｍ）で施工された平面視して矩形状の外側砂利地業２８と、外側砂利地業２８の内側に、円筒形フーチング１３ａの天井部１２を除く整地された整地面２９全面に施工された厚さｔ（例えば、１００ｍｍ）の内側砂利地業３０とから成る総砂利地業３１を有している。
【００２１】
べた基礎１７は、さらに、総砂利地業３１及び円筒形フーチング１３、１３ａ上方に、格子状に配置された補強材の一例である鉄筋３２を入れてコンクリート３３が打設されて、上面３７が平面に構成された矩形状の鉄筋コンクリート盤３４を備えている。鉄筋コンクリート盤３４の周囲部分は、図３（Ａ）、（Ｂ）及び図４（Ａ）、（Ｂ）に示すように、中央部分に比べて厚さが厚くなっており、その分、補強材の一例である鉄筋３５、３６が設けられている。
【００２２】
図２、図３（Ａ）、（Ｂ）及び図４（Ａ）、（Ｂ）に示すように、鉄筋コンクリート盤３４の上面３７には、厚さｎ、高さＳの連続布コンクリート壁３８が立設されている。連続布コンクリート壁３８においては、コンクリート３８ａの内部に補強材の一例である格子状の鉄筋３９が配置されている。なお、図３（Ａ）、（Ｂ）及び図４（Ａ）、（Ｂ）に示すように、鉄筋２３、２４、３２、３５、３６、３９は一体的に接続されている。また、鉄筋コンクリート盤３４の上面３７は、グランドレベルより高さｕ（例えば、５ｃｍ）だけ高いレベルに設けられている。かかる構成によって、住宅１６は、住宅の基礎構造１０のべた基礎１７の連続布コンクリート壁３８を介して取付けられることになる。従って、フーチング群基礎１５にべた基礎１７を介して取付けられた住宅１６は、揺れや衝撃によっても、不等沈下して傾くことを防止できる。
【００２３】
なお、ＧＬ（グランドレベル）から整地面２９までの深さＦ（図１１の深さＫに相当する）は、１５ｃｍとなり、深さＫより１０ｃｍ浅くできる。従って、従来の住宅の基礎構造に比較して、掘削する土量が少なく（例えば、従来の３０〜５０％）でき、このため、掘削作業が簡略化され、また埋め戻し作業が簡単になり、さらに、掘削した土を一時的に保管する場所が少なくて済む。
【００２４】
次に、図６〜図８を参照しながら、住宅の基礎構造１０を構成する円筒形フーチング１３（１３ａも同じ）の形成作業に使用する掘削治具４０及び掘削治具４０を取付ける掘削機４１について説明する。
図６に示すように、掘削機４１は、キャタピラー式の移動車体４２と、移動車体４２に３６０°水平に旋回可能に設けられ運転室４３を有する旋回フレーム４４と、旋回フレーム４４に取付けられたリンク式のアーム機構４５と、アーム機構４５の先端部に設けられたオーガマシン４６と、オーガマシン４６に取付けられ、下端部に掘削治具４０を脱着可能で、上下動及び回転可能なロッド４７とを備えている。
【００２５】
図７に詳細を示すように、掘削治具４０は、ロッド４７の下端部にジョイント部４９を介して取付けられた掘削治具本体５０を備えている。
掘削治具本体５０は、鋼管からなる大径パイプ５１と、大径パイプ５１の外周面５２に細い幅の板が螺旋状に立設されたスクリュー５３と、大径パイプ５１の下端円周部に略等ピッチで設けられた複数の掘削刃５４とを備えている。
【００２６】
例えば、内側は空で先端まで開放された大径パイプ５１の直径Ｙ＝６６０ｍｍ、スクリュー５３の片側の幅Ｘ＝１２０ｍｍである。掘削刃５４は大径パイプ５１の先端円周部とスクリュー５３の先端に、地盤に喰い込み易いように留意した取付けがしてある。一方、掘削刃５４の反対側、即ち、掘削治具本体５０の上部にはジョイント部４９が設けられ、ロッド４７が接続できる構造になっている。掘削治具４０の長さＺは２ｍ程度であり、掘削機４１にはオーガマシン４６が組み込まれており、作業場への出し入れが容易な大きさとしている。掘削機４１のオーガマシン４６にロッド４７を取付けて、ロッド４７に掘削治具４０を接続するようになっている。オーガマシン４６の回転部には、中心にロッド４７を挿通する孔があり、この孔にはロッド４７の任意の位置を締め付け、オーガマシン４６の回転をロッド４７に伝えるためのチャックが装着されている。ロッド４７をチャックから解放した状態で、オーガマシン４６をリーダー４７ａの上方に移動させてから、ロッド４７をチャックで締め付けて回転させ、掘削治具４０を回すことができるようになっている。
【００２７】
かかる構成によって、図８（ａ）、（ｂ）に示すように、掘削機４１に掘削治具４０を取付け、所定の位置に移動して、掘削治具４０を地面に接地させた後、掘削治具４０を回転させながら一定の押し込み力で押し込むことにより、地中１４に円筒状の溝５６を形成することができる。
【００２８】
即ち、オーガマシン４６を稼働してロッド４７を回転させて掘削治具４０を回すと、掘削治具４０は地盤に喰い込み削り、掘削を開始する。その際、オーガマシン４６の推進力をコントロールして掘削すると、掘削された土はスクリュー５３によって地表に排出されるが、内部の土は残る。所定の深さ（例えば、図３（Ａ）のＦ＋Ｈ）の掘削が終わったら、掘削治具４０を引き抜くとスクリュー５３の回転により筒状の溝５６が形成されている。リーダー４７ａは、オーガマシン４６を垂直に上下させ、ロッド４７を介して掘削治具４０の押し込みストロークＶを表示する。なお、図６中の符号４６ａはリーダー４７ａを支え、固定するための支柱を表している。
【００２９】
次いで、本発明の一実施の形態に係る住宅の基礎構造の構築方法について、主として図８（ａ）〜（ｅ）及び図９（ｆ）〜（ｋ）を参照しながら説明する。
（ａ）掘削治具４０を取付けた掘削機４１を所定の位置に移動し、掘削治具４０の下端部に取付けた掘削刃５４を地面（ＧＬ）に接地させた後、掘削治具４０を回転させながら一定の押し込み力で押し込む。
（ｂ）掘削治具４０の押し込み量をリーダー４７ａにより確認しながら、所定の押し込みストロークＶまで掘削治具４０を地中１４に押し込み、その後、掘削治具４０を引き上げて、円筒状の溝５６を形成する。
【００３０】
（ｃ）筒状の鉄筋２３を吊り具５７を介してホイスト等により吊り下げて、溝５６に挿入する。
（ｄ）鉄筋２３を溝５６に建て込める。
前記（ａ）〜（ｄ）を所定の回数繰り返し、地盤の所定の位置に水平間隔をあけて掘削した各５６溝に鉄筋２３を建て込める。ただし、周囲部分（円筒形フーチング１３の位置）は中央部分（円筒形フーチング１３ａの位置）に比べて、若干( 例えば、１００ｍｍ）深く掘削する。
【００３１】
（ｅ）各溝５６の上端部を除いて各溝５６に第１のコンクリート２４ａを打設する。
（ｆ）打設された各第１のコンクリート２４ａの筒内上部の鋤取りを行なう。
（ｇ）鋤取りされた部位の直上に砂利を敷き詰め、砂利地業２５を施工する。
（ｈ）円筒形フーチング１３の天井部１２を除く周囲部分の整地された整地面２７に外側砂利地業２８を施工する。砂利地業２５、２８の上方に鉄筋２３に接続して鉄筋２４、３５、３６、３９を順次接続して施工し、砂利地業２５直上及び第１のコンクリート２４ａ上に第２のコンクリート２４ｂを打設して、円筒形フーチング１３、１３ａが埋設されて構成されたフーチング群基礎１５を形成する。
【００３２】
（ｉ）外側砂利地業２８の内側に、円筒形フーチング１３ａの天井部１２を除く整地された整地面２９全面に内側砂利地業３０を施工して、外側砂利地業２８及び内側砂利地業３０から成る総砂利地業３１を形成する。その後、総砂利地業３１の上方に鉄筋３２を鉄筋３５、３６、３９と一体的に施工する。
（ｊ）総砂利地業３１直上にコンクリート３３を打設して、フーチング群基礎１５上に一体的に鉄筋コンクリート盤３４を形成する。
（ｋ）鉄筋コンクリート盤３４上にコンクリート３８ａを打設して連続布コンクリート壁３８を形成し、住宅の基礎構造１０を構築する。
【００３３】
図１０には、本発明の他の実施の形態に係る住宅の基礎構造６０を適用した住宅６３を含む全体構成図を示す。住宅の基礎構造６０は住宅の基礎構造１０と同様、地中１４に埋設された複数個の円筒形フーチング６１からなるフーチング群基礎６２と、フーチング群基礎６２に連結して設けられ上部に住宅６３を取付け可能なべた基礎６４とを備えている。図１０に示す住宅６３は、住宅１６と同様、宅地の隅に建設されており、宅地は周囲の一部にＬ型擁壁２６が築かれ、盛土地盤６５を保護している。
【００３４】
本発明は前記した実施の形態に限定されるものではなく、本発明の要旨を変更しない範囲での変更は可能であり、例えば、前記したそれぞれの実施の形態や変形例の一部又は全部を組み合わせて本発明の住宅の基礎構造及びその構築方法を構成する場合も本発明の権利範囲に含まれる。
前記実施の形態において、フーチング群基礎１５に連結してべた基礎１７を設けたが、これに限定されず、必要に応じて、別の基礎である布基礎（連続基礎）を設けることもできる。
円筒形フーチング１３、１３ａの天井部１２直下に砂利地業を２５を施工したが、これに限定されず、必要に応じて、砂利地業２５を省略することもできる。また、状況に応じて、砂利地業２５の代わりに、割栗地業を施工することもできる。
【００３５】
円筒形フーチング１３、１３ａを鉄筋コンクリート製としたが、これに限定されず、必要に応じて、コンクリートのみとしたり、また鉄筋の代わりに、例えば、金網やプラスチック等の補強材を使用することもできる。なお、ここでいうコンクリートとは、本来のコンクリート（セメント＋砂＋砂利＋水の混合物）の外、モルタル（セメント＋砂＋水の混合物）、セメントペースト（セメント＋水の混合物）を含めたものをいう。
円筒状の溝５６の形成において、掘削機４１に取付けた掘削治具４０により行なったが、これに限定されず、状況に応じて、その他の掘削手段で溝５６を形成することもできる。
【図面の簡単な説明】
【００３６】
【図１】本発明の一実施の形態に係る住宅の基礎構造を適用した住宅を含む全体構成図である。
【図２】同住宅の基礎構造の平面図である。
【図３】（Ａ）、（Ｂ）はそれぞれ、同住宅の基礎構造の円筒形フーチングを含む周囲部分、中央部分の断面構成を示す説明図である。
【図４】（Ａ）、（Ｂ）はそれぞれ、同住宅の基礎構造の円筒形フーチングを含まない周囲部分、中央部分の断面構成を示す説明図である。
【図５】（Ａ）、（Ｂ）はそれぞれ、同住宅の基礎構造の構築方法に使用する鉄筋の正面図、平面図である。
【図６】同住宅の基礎構造の構築方法に用いる掘削治具を設けた掘削機の構成図である。
【図７】同住宅の基礎構造の構築方法に用いる掘削治具の正面図である。
【図８】同住宅の基礎構造の構築方法の工程図である。
【図９】同住宅の基礎構造の構築方法の工程図である。
【図１０】本発明の他の実施の形態に係る住宅の基礎構造を適用した住宅を含む全体構成図である。
【図１１】従来例に係る住宅の基礎構造のべた基礎構造である。
【図１２】（Ａ）〜（Ｃ）は同住宅の基礎構造の荷重分布の説明図である。
【符号の説明】
【００３７】
１０：住宅の基礎構造、１１：開口、１２：天井部、１３、１３ａ：円筒形フーチング、１４：地中、１５：フーチング群基礎、１６：住宅、１７：べた基礎、１８：間知ブロック積擁壁、１９：盛土地盤、２０：上面、２１：段差、２２：側板部、２３：鉄筋（補強材) 、２４：鉄筋（補強材) 、２４ａ：第１のコンクリート、２４ｂ：第２のコンクリート、２５：砂利地業、２６：Ｌ型擁壁、２７：整地面、２８：外側砂利地業、２９：整地面、３０：内側砂利地業、３１：総砂利地業、３２：鉄筋（補強材) 、３３：コンクリート、３４：鉄筋コンクリート盤、３５：鉄筋（補強材) 、３６：鉄筋（補強材) 、３７：上面、３８：連続布コンクリート壁、３８ａ：コンクリート、３９：鉄筋（補強材) 、４０：掘削治具、４１：掘削機、４２：移動車体、４３：運転室、４４：旋回フレーム、４５：アーム機構、４６：オーガマシン、４６ａ：支柱、４７：ロッド、４７ａ：リーダー、４９：ジョイント部、５０：掘削治具本体、５１：大径パイプ、５２：外周面、５３：スクリュー、５４：掘削刃、５６：溝、５７：吊り具、６０：住宅の基礎構造、６１：円筒形フーチング、６２：フーチング群基礎、６３：住宅、６４：べた基礎、６５：盛土地盤
【図１】
2005133338.tif 000003
【図２】
2005133338.tif 000004
【図３】
2005133338.tif 000005
【図４】
2005133338.tif 000006
【図５】
2005133338.tif 000007
【図６】
2005133338.tif 000008
【図７】
2005133338.tif 000009
【図８】
2005133338.tif 000010
【図９】
2005133338.tif 000011
【図１０】
2005133338.tif 000012
【図１１】
2005133338.tif 000013
【図１２】
2005133338.tif 000014